(57)【要約】【課題】商品明細等の印刷と付録等の封入ができるカット紙型の配送伝票を提供する。【解決手段】少なくとも２層構造のカット紙型の配送伝票であって、第１層の紙の表面は、印刷可能な印刷領域と、取っ手付きの袋の閉じ口とするための開封可能な第一の切れ目とを備え、第１層の紙の裏面と第２層の紙の表面とは、袋として使われる領域を除く少なくとも一部の領域で互いが接着されるものであり、前記取っ手となる領域は、第１層の紙の裏面と第２層の表面のいずれか一方に接着剤が塗布され、もう一方に剥離処理が施されている。【選択図】図５
2014000796.tif 000002
【特許請求の範囲】
【請求項１】
少なくとも２層構造のカット紙型の配送伝票であって、
第１層の紙の表面は、
印刷可能な印刷領域と、
取っ手付きの袋の閉じ口とするための開封可能な第一の切れ目とを備え、
第１層の紙の裏面と第２層の紙の表面とは、袋として使われる領域を除く少なくとも一部の領域で互いが接着されるものであり、
前記取っ手となる領域は、第１層の紙の裏面と第２層の表面のいずれか一方に接着剤が塗布され、もう一方に剥離処理が施されていることを特徴とする配送伝票。
【請求項２】
少なくとも２層構造のカット紙型の配送伝票であって、
第１層の紙の表面は、
印刷可能な印刷領域と、
取っ手付きの袋の閉じ口とするための開封可能な第一の切れ目とを備え、
第１層の紙の裏面と第２層の紙の表面とは、袋として使われる領域を除く少なくとも一部の領域で互いが接着されるものであり、
前記袋として使われる領域の一部の領域であって、前記取っ手となる領域を除く領域は、第１層の紙の裏面と第２層の表面のいずれか一方に接着剤が塗布され、もう一方に剥離処理が施されていることを特徴とする配送伝票。
【請求項３】
前記第１層の紙の袋として使われる領域には、切り取られることにより袋を開くことを可能とする第二の切れ目を備えており、
前記第１層の紙の袋として使われる領域の裏面および／または当該裏面と相対する前記第２層の表面に、伝えるべき情報が印刷されていることを特徴とする請求項１または２に記載の配送伝票。
【請求項４】
前記第１層の紙は、
宛名を印刷可能な領域を含む第１層の紙の一部の紙を切り取り可能な第三の切れ目を備え、
前記第三の切れ目が切り取られることにより分離する前記宛名を印刷可能な領域を含む第１層の紙の一部の紙を配送伝票のラベルとして使用可能とすべく、当該第１層の紙の裏面の一部に接着剤が塗布され、
前記第２層の紙の表面は、前記第１層の紙の裏面の接着剤が塗布された領域に相対する領域に剥離処理が施されており、前記第１層の紙の裏面のうち接着剤が塗布されていない領域に相対する前記第２層の紙の表面の領域に、伝えるべき情報が印刷されていることを特徴とする請求項１乃至３のいずれか１項に記載の配送伝票。
【請求項５】
前記第１層の紙は、宛名が印刷される領域を切り取り可能な第四の切れ目を備え、
前記第三の切れ目が切り取られることにより分離する前記宛名を印刷可能な領域を含む第１層の紙の一部の紙を配送伝票のラベルとして使用可能とすべく、当該第１層の紙の裏面の一部に接着剤が塗布され、前記宛名が印刷される領域の一部を配送控えとして使用可能とすべく、当該当該配送控えとして切り取られる領域の裏面には接着剤が塗布されないことを特徴とする請求項４に記載の配送伝票。
【請求項６】
前記第三の切れ目により切り取られる領域であって、前記配送伝票のラベルとして使用されない領域については、前記第１層の紙の裏面に剥離処理が施されており、相対する前記第２層の表面には接着剤が塗布されていることを特徴とする請求項４または５に記載の配送伝票。
【請求項７】
第２層の紙の裏面は、
印刷可能な印刷領域を備え、
前記第１層の紙の表面が折りたたまれることにより、当該第２層の紙の裏面に印刷された、伝えるべき情報を識別可能とさせる請求項１乃至６の何れか１項に記載の配送伝票。
【請求項８】
少なくとも２層構造のカット紙型の配送伝票の使用方法であって、
当該配送伝票の第１層の紙の表面は、
印刷可能な印刷領域と、
取っ手付きの袋の閉じ口とするための開封可能な第一の切れ目とを備え、
第１層の紙の裏面と第２層の紙の表とは、袋として使われる領域を除く少なくとも一部の領域で互いが接着されるものであり、
前記取っ手となる領域は、第１層の紙の裏面と第２層の表面のいずれか一方に接着剤が塗布され、もう一方に剥離処理が施されており、
前記第１層の紙は、
宛名を印刷可能な領域を含む第１層の紙の一部の紙を切り取り可能な第二の切れ目を備え、
前記第二の切れ目が切り取られることにより分離する前記宛名を印刷可能な領域を含む第１層の紙の一部の紙を配送伝票のラベルとして使用可能とすべく、当該第１層の紙の裏面の一部に接着剤が塗布され、
前記第２層の紙の表面は、前記第１層の紙の裏面の接着剤が塗布された面に相対する面に剥離処理が施されており、
前記分離する前記宛名を印刷可能な領域を含む第１層の紙の一部の紙のラベルを、配送伝票として使用し、
前記分離されたラベルでない部分の紙を、納品書として使用することを特徴とする配送伝票の使用方法。
【請求項９】
少なくとも２層構造のカット紙型の配送伝票の使用方法であって、
当該配送伝票の第１層の紙の表面は、
印刷可能な印刷領域と、
取っ手付きの袋の閉じ口とするための開封可能な第一の切れ目とを備え、
第１層の紙の裏面と第２層の紙の表とは、袋として使われる領域を除く少なくとも一部の領域で互いが接着されるものであり、
前記取っ手となる領域は、第１層の紙の裏面と第２層の表面のいずれか一方に接着剤が塗布され、もう一方に剥離処理が施されており、
前記第１層の紙は、
宛名を印刷可能な領域を含む第１層の紙の一部の紙を切り取り可能な第二の切れ目を備え、
前記第二の切れ目が切り取られることにより分離する前記宛名を印刷可能な領域を含む第１層の紙の一部の紙を配送伝票のラベルとして使用可能とすべく、当該第１層の紙の裏面の一部に接着剤が塗布され、
前記第２層の紙の表面は、前記第１層の紙の裏面の接着剤が塗布された面に相対する面に剥離処理が施されており、
前記分離する前記宛名を印刷可能な領域を含む第１層の紙の一部の紙のラベルを、配送伝票として使用し、
前記分離されたラベルでない部分の紙を、納品書として使用することを特徴とする配送伝票の使用方法。
【発明の詳細な説明】
【技術分野】
【０００１】
カット紙型の配送伝票に関する。
【背景技術】
【０００２】
複写機等の高速化・カラー化の進展に伴い、カット紙を用いて帳票を印刷する方法が広がってきている。これは、カット紙を用いることが経費節減等に繋がることも背景となっている。
例えば、物流の配送伝票では、従来の多パーツ伝票から、カット紙プリンタ出力に適した１Ｐカット紙型の伝票に大きく移行している。
しかしながら、配送伝票としての利用方法としては、従来と変わることがないため、配送伝票の付加価値を高める利用方法が求められている。
【０００３】
特許文献１には、配送伝票に葉書が一体となった構成において、別途印刷物を作製することなく、配送物の配送先に多くの情報を通知する技術が開示されている。
【先行技術文献】
【特許文献】
【０００４】
【特許文献１】特開２０１０−２８０１６１号公報
【発明の概要】
【発明が解決しようとする課題】
【０００５】
しかしながら、特許文献１に記載の技術は、配送物の配送先に多くの情報を通知する点において、配送伝票の付加価値を高める技術であるが、例えば、商品のサンプル等を封入するといったことはできない。
本発明は、上記課題を解決するものであり、商品明細等の印刷と付録等の封入ができるカット紙型の配送伝票を提供することを目的とする。
【課題を解決するための手段】
【０００６】
本発明は、少なくとも２層構造のカット紙型の配送伝票であって、第１層の紙の表面は、印刷可能な印刷領域と、取っ手付きの袋の閉じ口とするための開封可能な第一の切れ目とを備え、第１層の紙の裏面と第２層の紙の表面とは、袋として使われる領域を除く少なくとも一部の領域で互いが接着されるものであり、前記取っ手となる領域は、第１層の紙の裏面と第２層の表面のいずれか一方に接着剤が塗布され、もう一方に剥離処理が施されていることを特徴とする。
【０００７】
また、別の発明は、少なくとも２層構造のカット紙型の配送伝票であって、第１層の紙の表面は、印刷可能な印刷領域と、取っ手付きの袋の閉じ口とするための開封可能な第一の切れ目とを備え、第１層の紙の裏面と第２層の紙の表面とは、袋として使われる領域を除く少なくとも一部の領域で互いが接着されるものであり、前記袋として使われる領域の一部の領域であって、前記取っ手となる領域を除く領域は、第１層の紙の裏面と第２層の表面のいずれか一方に接着剤が塗布され、もう一方に剥離処理が施されていることを特徴とする。
【発明の効果】
【０００８】
本発明によれば、商品明細等の印刷と付録等の封入ができるカット紙型の配送伝票を提供することができる。
【図面の簡単な説明】
【０００９】
【図１】本発明の実施の形態における配送帳票の構成を示す図である。
【図２】本発明の実施の形態におけるカット紙１の構成を示す図である。
【図３】本発明の実施の形態におけるカット紙２の構成を示す図である。
【図４】配送業者における配送伝票の利用方法を説明する図（１）である。
【図５】配送業者における配送伝票の利用方法を説明する図（２）である。
【図６】顧客側における配送伝票の利用方法を説明する図である。
【図７】本発明の第二の実施の形態におけるカット紙１の構成を示す図である。
【図８】本発明の第二の実施の形態におけるカット紙２の構成を示す図である。
【発明を実施するための形態】
【００１０】
以下、図面を用いて本発明の実施の形態を説明する。
図１は、本発明の実施の形態における配送帳票の構成を示す図である。
【００１１】
カット紙１とカット紙２とが重ね合わさって１枚のカット紙型の配送伝票３が構成される。通常、工場において、２枚のロール紙を重ね合わせた後、カットすることで、カット紙型の配送伝票３が生産されることになる。また、本実施の形態では、配送伝票は、２層構造となっているが、必ずしも２層に限定されるものではない。つまり、３層以上で構成されていたとしてもそのうちの２層により実現することができればよいからである。
配送伝票３の表面・裏面は、プリンタで印刷可能な領域となっている。
【００１２】
なお、配送先の宛名欄や商品の明細欄がプレプリントされていてもよい。プレプリントされている配送伝票の場合、その欄の中に宛名や商品明細をプリントすることとなる。一方、宛名欄や明細欄がない場合は、宛名欄・宛名、明細欄・商品明細を同時にプリントすることとなる。商品明細が印刷された部分を納品書として利用することも可能である。
図２は、本発明の実施の形態におけるカット紙１の構成を示す図である。
カット紙１の表面は、プリンタで印刷可能な領域である。図２の例では、３つの宛名印刷領域２１と、１つの商品明細印刷領域２２を備えている。
【００１３】
また、カット紙１は、切り取り用のミシン目２３またはスリット２４を備える。ミシン目２３とスリット２４では、切り込みの長さが異なる（ミシン目は切り込みが短く、スリットは切り込みが長い。）。ただし、何れも切り取ることを目的とした切れ目という点で共通している。そのため、図２の例では、ミシン目２３とスリット２４をそれぞれ分けているが、何れか一方であってもよい。用途や目的により使い分けることができる。
【００１４】
なお、本発明の実施形態において、配送伝票を袋として使う際の袋の開け口の取っ手として用いる領域を「開け口領域」２５という。一方、配送伝票を折り曲げた際に折り曲げ状態を維持するための接着剤が塗布されるカット紙２の領域に重なる領域であって、その後切り取られる領域を「切り取り領域」２６という。
【００１５】
一方、カット紙１の裏面は、所定の領域に接着剤２７が塗布されている。図２の例では、宛名印刷領域２１、商品明細印刷領域２２、切り取り領域２６の裏面を除き、接着剤２７が塗布されている（開け口領域２５の裏面には、接着剤２７が塗布されている。）。
【００１６】
なお、接着剤として使うのりを、ホットメルトにすることで、従来のエマルジョン（水質系）と比較して、用紙のたわみの変化が無く、またのりの染み出しを軽減できるため、プリンタ（電子写真）の搬送適正が向上する効果がある。
【００１７】
また、切り取り領域２６の裏面には、剥離用シリコン２８が塗布されている。剥離用シリコン２８が塗布される領域は、少なくともカット紙２の表面であって接着剤が塗布されている領域に相対する領域である。なお、本発明の実施の形態では、剥離用シリコンを例としているが、剥離処理が施されていれば、これに限られるものではない、例えば、ろうが塗布されていてもよい。
なお、接着剤２７が塗布されない領域を印刷領域として利用することができるが、詳細は後述する。
接着剤２７を用いることにより、カット紙１とカット紙２とが接着されることになる。
図３は、本発明の実施の形態におけるカット紙２の構成を示す図である。
【００１８】
カット紙２の表面には、所定の領域に剥離用シリコン３１が塗布されている。剥離用シリコン３１が塗布される領域は、少なくともカット紙１の裏面であって接着剤２７が塗布されている領域に相対する領域である。
【００１９】
本発明の実施の形態では、相対する全ての領域に剥離用シリコン３１を塗布するのではなく、カット紙１の領域の一部の紙をシール紙のように使いたい場合、対応するカット紙２の表面に剥離用シリコン３１を塗布することとなる。詳細は、後述する。
【００２０】
なお、接着剤２７と剥離用シリコン３１と組み合わせることで２つの紙を、簡単に貼ったり剥がしたりすることができるため、本発明の実施の形態では、仮止めとして使いたい領域にも剥離用シリコン３１を塗布することとなる。詳細は、後述する。
また、カット紙１の切り取り領域２６に対応する領域には、接着剤３２が塗布されている。この領域を接着領域という。
なお、剥離用シリコン３１、接着剤３２が塗布されていない領域を印刷領域として利用することができるが、詳細は後述する。
一方、カット紙２の裏面は、プリンタで印刷可能な領域である。図３の例では、空白領域となっているが、プレプリントされていてもよい。
【００２１】
最後に、本発明の実施の形態では、カット紙１の裏面に接着剤２７を塗布し、カット紙２の表面に剥離用シリコン３１を塗布する実施の形態で説明したが、塗布する面は、用途や目的に応じて適時選択できるものであり、カット紙１の裏面に剥離用シリコンを塗布し、カット紙２の表面に接着剤を塗布する実施の形態であってもよい。
図４および５は、配送業者における配送伝票の利用方法を説明する図である。
【００２２】
図４に示す通り、配送業者側では、プリンタを用いて、配送伝票の表面や裏面に印刷を行う。図４の例では、表面に宛名欄（１）〜（３）、商品明細欄が印刷され、裏面に顧客向けメッセージが印刷されていることを示している。
その後、配送業者側で、ミシン目の一部を切り剥がす。図５の例では、商品明細領域の左側のミシン目を切り取っていることを示している。
【００２３】
本発明の実施の形態において、カット紙１の商品明細領域に対応する裏面については接着剤が塗布されず、その周りに接着剤が塗布されていることから、一辺のミシン目を切り剥がすことで、商品明細領域を袋として利用することができる。この場合、ミシン目を切り剥がした一辺は袋の口となる。
【００２４】
袋には、付録等を封入することができるため、様々な用途に利用することができる。例えば、配送する商品Ａに関連する商品Ｂのサンプルを封入することで、商品Ｂの販売促進に役立てること等ができる。
【００２５】
その他、企業とタイアップするといった使い方も考えられる。袋に入るサンプルであれば何でもよく、例えば、化粧品や日用品のサンプル，シャンプー／リンス／香水／ティッシュー／ティーバック／コーヒー／その他花の種／健康食品／食品／メッセージカード／クーポン券等を封入することができる。
【００２６】
なお、カット紙１の裏面の開け口領域２５に対応する領域には接着剤２７が塗布され、カット紙２の表面の開け口領域２５に相対する領域には剥離用シリコン３１が塗布されている。そのため、容易に剥がしたり貼ったりすることができるので、付録等を封入した後、開け口から付録等がこぼれ出ないように袋とじすることができる。本実施の形態では、カット紙１の裏面に接着剤を、カット紙２の表面に剥離用シリコンを塗布する実施の形態で説明しているが、この組合せが逆であっても良い。つまり、カット紙１の裏面に剥離用シリコンを、カット紙２の表面に接着剤を塗布することで同じ効果を得ることができるからである。
【００２７】
また、配送業者側では、切り取りスリット２４を切り剥がして、宛名欄（１）〜（３）を含む領域を剥がすことができる。剥がした紙は、カット紙１の一部であり、本発明の実施の形態では、その裏面の一部に接着剤２７が塗布されているが、対応するカット紙２の表面に剥離用シリコン３１が塗布されているからである。
【００２８】
切り剥がした領域の紙は、シール紙のように商品の配送箱に貼ることができる。これは裏面に接着剤２７が塗布されているからである。そのため、いわば配送伝票のラベルとして利用することができる。このように配送伝票のラベルとして利用することにより、別途配送伝票のラベルを用意する必要がなくなることから、紙資源の有効活用につながるという効果がある。
【００２９】
一方、カット紙１の一部が切り剥がされることによりカット紙２の表面の一部が露出することとなるが、剥離用シリコン３１が塗布されない領域を印刷領域として利用することができる。そのため、例えば、広告を印刷するための印刷領域として活用すること等が可能となる。つまり、発信すべき情報（伝えたかったり、伝えるべき情報のことをいう。）を印刷することで、新たな情報伝達媒体として利用することが可能となる。
さらに、従来、剥離紙は、捨てられていたためゴミとなっていたが、本発明によれば、剥離紙を捨てる必要がなくなるという効果もある。
【００３０】
次に、配送業者側では、切り取り領域２６を剥がして接着領域３２を露出させ、配送伝票の真ん中で折りたたむ。接着領域３２に塗布される接着剤により、配送伝票が折りたたまれた状態が固定されることとなる。
【００３１】
なお、接着領域３２の数は、１つでなく複数でもよい。また、大きさや配置位置も任意の大きさや位置であってもよい。配送伝票を折りたたんだ際に折りたたみ状態を固定することができれば、どのような形式であってもよい。
最後に、配送業者側では、商品配送後に、宛名欄（１）〜（３）を、例えば、配送したことを確認するための配送控え欄として切り取って持ち帰る。
【００３２】
これは、宛名欄（１）〜（３）を含む領域には、ミシン目が入っていて、またその裏面には、接着剤が塗布されていないことから宛名ラベルとして配送箱に貼った後、部分的に切り取ることができるからである。
次に、図６を用いて、顧客側の配送伝票の利用方法を説明する。
顧客は、商品の配送箱を受け取ると共に、添付されている折りたたまれた状態の配送伝票３を取り出すこととなる。
【００３３】
折りたたまれた状態で、メッセージが印刷されている場合（＝カット紙２の裏面の印刷領域を利用してメッセージを印刷した場合）、顧客は、そのメッセージに注目することになる。そのため、配送業者側では、その顧客固有のメッセージを印刷することで、広告効果を高めたり、顧客満足度を高めたりする利用方法に活用することができる。
【００３４】
次に、顧客は、折りたたみ状態を維持している接着領域３２を剥がして、配送伝票を見開く。予め広告が印刷されている場合、顧客は、その広告に注目することとなる。見開いた状態では、印刷可能領域が大きく確保できるため、大きな広告を印刷することも可能となる。
また、顧客は、袋とじされている付録等があれば、袋から付録等を取り出す。
【００３５】
さらに、本発明の実施の形態では、商品明細領域の上辺および下辺についてミシン目を入れていることから、顧客は、そのミシン目を切り取ることで、袋を開くことができる。袋が開かれることで、カット紙１の裏面の一部の領域とカット紙２の表面の一部の領域が露出することとなる。いずれの領域も接着剤も剥離用シリコンも塗布されていない領域であるため、印刷領域として利用することができる。そのため、配送業者側では、この領域にも広告等を印刷することができる。
本発明によれば、商品明細等の印刷と付録等の封入ができるカット紙型の配送伝票を提供することができる。
【００３６】
次に、本発明の第二の実施の形態を説明する。
第一の実施の形態においては、図２におけるカット紙１（裏面）の開け口領域２５を含む領域に、接着剤２７を塗布し、当該領域に相対する図３におけるカット紙２（表面）の領域に、剥離用シリコン３１を塗布する実施の形態であった。しかしながら、当該実施の形態においては、取っ手となる部分に接着剤２７が塗布されることから、人が取っ手部分に触れた際に、手がべとつくことになる。
そこで、第二の実施の形態では、人が取っ手部分に触れても手がべとつかず、かつ、袋の閉じ口を仮止めすることを可能とする実施としている。
具体的な実施の形態を、図７および図８を用いて説明する。
【００３７】
図７は、本発明の第二の実施の形態におけるカット紙１の構成を示す図である。また、図８は、本発明の第二の実施の形態におけるカット紙２の構成を示す図である。
【００３８】
ここで、図７は図２に、図８は図３に、それぞれ対応するものである。また、第一の実施の形態と第二の実施の形態において違いがない点については、同じ符番号を付しており説明を省略し、異なる点について以下説明する。
【００３９】
まず、図７におけるカット紙１（裏面）の接着剤２７を塗布する領域が、第一の実施の形態と異なる。第二の実施の形態においては、開け口領域７１に接着剤２７は塗布されないが、その代わりに、仮止め用領域７２に接着剤２７が塗布される。一方、図８におけるカット紙２（表面）の剥離用シリコン３１は、仮止め用領域７２に相対する領域に塗布される。
【００４０】
従って、開け口領域には、接着剤２７が塗布されないため、人が取っ手部分に触れても手がべとつくことはなくなる。また、取っ手付きの袋の閉じ口の、取っ手以外の袋の閉じ口に相当する領域である仮止め用領域７２に接着剤２７と剥離用シリコン３１とを相対するように塗布することで、袋の閉じ口を仮止めすることが可能となる。
以上、第二の実施の形態を説明した。
第一の実施の形態及び第二の実施の形態により取っ手付きの袋の閉じ口を開封可能な配送伝票を提供することが可能となる。
【符号の説明】
【００４１】
１  カット紙
２  カット紙
３  配送伝票
【図１】
2014000796.tif 000003
【図２】
2014000796.tif 000004
【図３】
2014000796.tif 000005
【図４】
2014000796.tif 000006
【図５】
2014000796.tif 000007
【図６】
2014000796.tif 000008
【図７】
2014000796.tif 000009
【図８】
2014000796.tif 000010